(57)【要約】【課題】モニタープルーフ操作と輪転機操作との情報をそれぞれに通信することでオペレーターの操作を簡略して効率の向上を図ることができる表示制御方法及び表示制御装置を提供すること。【解決手段】印刷画像用モニタープルーフ４の画像表示手段４１，４３・・・及び輪転機２のインク調整用表示手段１９，２１，２７の表示制御方法であって、画像表示手段４１，４３・・・の表示内容とインク調整用表示手段１９，２１，２７の表示内容との対応を予め設定し、画像表示手段４１，４３・・・又はインク調整用表示手段１９，２１，２７の表示変更操作により、予めの設定に従って、それぞれに対応する表示内容をインク調整用表示手段１９，２１，２７又は画像表示手段４１，４３・・・へ伝達する表示制御方法及び表示制御装置。【選択図】図１
2009119743.tif 000002
【特許請求の範囲】
【請求項１】
印刷画像用モニタープルーフの画像表示手段及び輪転機のインク調整用表示手段の表示制御方法であって、
前記画像表示手段の表示内容と前記インク調整用表示手段の表示内容との対応を予め設定し、
前記画像表示手段又はインク調整用表示手段の表示変更操作により、前記予めの設定に従って、それぞれに対応する表示内容を前記インク調整用表示手段又は画像表示手段へ伝達する表示制御方法。
【請求項２】
前記インク調整用表示手段又は画像表示手段へ伝達後、前記インク調整用表示手段又は画像表示手段それぞれが伝達された内容に表示変更される請求項１記載の表示制御方法。
【請求項３】
前記表示変更時に変更したことを警告又は表示する請求項２記載の表示制御方法。
【請求項４】
前記画像表示手段とインク調整用表示手段で予め対応設定される表示内容が輪転機の輪転ユニット識別と画像ページである請求項１〜３のいずれか１項記載の表示制御方法。
【請求項５】
請求項１に記載の表示制御方法に使用される表示制御装置であって、
前記画像表示手段又はインク調整用表示手段の少なくとも一方の表示変更操作を受信する表示変更操作受信手段と、
前記画像表示手段の表示内容と前記インク調整用表示手段の表示内容との対応を予め設定した選択的記憶手段と、
前記表示変更操作受信手段の受信により、前記予めの設定に従って、それぞれに対応する表示内容を前記インク調整用表示手段又は画像表示手段へ伝達する通信手段を備える表示制御装置。
【請求項６】
前記インク調整用表示手段又は画像表示手段に備えられ、前記通信手段からの表示内容変更を受けて、それぞれに対応する表示内容へ変更する表示内容変更手段を備える請求項５記載の表示制御装置。
【請求項７】
前記表示内容変更手段が前記表示変更時に変更したことを警告又は表示機能を有する請求項６記載の表示制御装置。
【発明の詳細な説明】
【技術分野】
【０００１】
本発明は、印刷画像用モニタープルーフの画像表示手段及び輪転機のインク調整用表示手段の表示制御方法及び表示制御装置に関する。
【背景技術】
【０００２】
従来、印刷現場では、印刷物のプルーフとして、校正印刷物やインクジェットプリントが利用されてきた。近年、印刷物のプルーフをモニター上にシミュレートして確認を行うモニタープルーフが利用されるようになっている。新聞などの印刷現場においても、輪転機の印刷結果に対するインク調整において、業界色基準などを基に液晶モニターと印刷物のより高精度なカラーマッチングを実施可能するモニタープルーフが利用されるようになっている。
【０００３】
このようなモニタープルーフにおいては、刷り上り印刷物の色確認作業を効率化するため使用されることが多く、モニターの色が校正印刷物やインクジェットプリントに置き換わる品質であれば、これらの紙上サンプルの作成は不要となる。
【０００４】
一方、輪転機における表示制御方法及び表示制御装置の一例として、タッチパネル式のディスプレイ装置に、版胴を選択する胴選択部と、用紙の頁を選択する頁選択部と、各頁のコラムの数に対応する数の開度表示部と、開度調整値を入力するテンキー部と、テンキー部で設定された値を現在開度値に対して増加または減少させるプラスキーおよびマイナスキーとを備え、セットされた開度値に基づいて該当のインク区域のインク供給量を制御する制御手段を備えたものが知られている（例えば、特許文献１参照）。
【０００５】
【特許文献１】特開平６−２５５０８６号公報
【発明の開示】
【発明が解決しようとする課題】
【０００６】
このような、輪転機ユニットとモニタープルーフシステムとを組み合わせる場合に、輪転機ではインク調整用の操作画面を表示し、モニタープルーフシステムではプルーフ画像を表示するため、それぞれに表示手段を有して各オペレーターが別個に操作を行っていた。
【０００７】
図６は、従来の輪転機ユニットとモニタープルーフシステムとの組み合わせ概念図である。
具体的には、輪転機センターコントール５３に接続された各輪転機２の各輪転ユニット１１，１３，１５，１７毎に、モニタープルーフシステム４用のモニター５５をそれぞれ備える。モニタープルーフシステム４では、ＣＴＰサーバーなどからの画像情報を基に、プルーフ画像をシミュレート且つ調整して各輪転機ユニット用のモニター５５に表示してる。一方、輪転機２の各ユニット１１，１３，１５，１７毎にインク調整用の操作画面表示装置（図示せず）が備えられ、輪転機２の各ユニットからは、試し刷りの印刷物が送出される。
【０００８】
そして、輪転機２のインク調整は、試し刷りの印刷物とモニタープルーフシステム４のモニター５５に表示されているプルーフ画像とを比較し、輪転機２のインク調整用の操作画面で、ユニット／ページ／刷り色をそれぞれ選択し、これらの組み合わせに対する調整量をオペレーターが入力することで実施される。
【０００９】
ここで、ユニット／ページ／刷り色の選択、および調整量の入力は、中央コンソールのタッチパネルディスプレイから実施する場合と、各輪転ユニット機毎のコンソールから実施する場合とがある。いずれにしても、輪転機のインク調整を行うに際し、色確認のためのモニタープルーフの画面表示と、インク調整のための輪転機操作とで、同一ユニット／ページを選択するという同様の操作をそれぞれ別個に行う必要があるために、非効率であった。
【００１０】
本発明は、上述した事情に鑑みてなされたもので、その目的は、モニタープルーフ操作と輪転機操作で二重の操作を避けることで、オペレーターの操作を簡略して効率の向上を図ることができる表示制御方法及び表示制御装置を提供することにある。
【課題を解決するための手段】
【００１１】
本発明に係る上記課題は、下記構成により達成される。
（１）  印刷画像用モニタープルーフの画像表示手段及び輪転機のインク調整用表示手段の表示制御方法であって、
前記画像表示手段の表示内容と前記インク調整用表示手段の表示内容との対応を予め設定し、
前記画像表示手段又はインク調整用表示手段の表示変更操作により、前記予めの設定に従って、それぞれに対応する表示内容を前記インク調整用表示手段又は画像表示手段へ伝達する表示制御方法。
【００１２】
このように構成された表示制御方法によれば、
画像表示手段の表示内容とインク調整用表示手段の表示内容との対応を予め設定しておき、画像表示手段の表示変更操作の時は、予めの設定に従って、インク調整用表示手段へ表示内容を伝達し、逆に、インク調整用表示手段の表示変更操作の時は、画像表示手段へ伝達する。これにより、モニタープルーフ操作と輪転機操作との情報をそれぞれに共有することが可能となり、オペレーターの操作を簡略する可能性を大きくして効率の向上を図ることができる。
【００１３】
（２）  上記（１）記載の表示制御方法であって、
前記インク調整用表示手段又は画像表示手段へ伝達後、前記インク調整用表示手段又は画像表示手段それぞれが伝達された内容に表示変更される表示制御方法。
【００１４】
このように構成された表示制御方法によれば、
インク調整用表示手段又は画像表示手段へ伝達後、インク調整用表示手段又は画像表示手段の表示が変更されるために、モニタープルーフ操作と輪転機操作との情報をそれぞれに共有させて、表示変更時にも同一の情報を表示されることで、オペレーターの操作を簡略することができる。
【００１５】
（３）  上記（２）記載の表示制御方法であって、
前記表示変更時に変更したことを警告又は表示する表示制御方法。
【００１６】
このように構成された表示制御方法によれば、
表示が変更されたことが警告や表示されることで、オペレーターに表示変更を確認させることができ、変更未確認のまま誤指示操作する可能性を低くすることができる。
【００１７】
（４）  上記（１）〜（３）のいずれか記載の表示制御方法であって、
前記画像表示手段とインク調整用表示手段で予め対応設定される表示内容が輪転機の輪転ユニット識別と画像ページである表示制御方法。
【００１８】
このように構成された表示制御方法によれば、
画像表示手段とインク調整用表示手段で予め対応設定される表示内容が輪転機の輪転ユニット識別と画像ページであることで、モニタープルーフでの操作変更対象の輪転ユニットと画像ページを、その変更したプルーフ画像の印刷を実施する輪転機ユニット用の操作表示に反映することができ、画像表示とインク調整の操作対象をモニタープルーフと輪転機とで同じとすることができる。
【００１９】
（５）  上記（１）記載の表示制御方法に使用される表示制御装置であって、
前記画像表示手段又はインク調整用表示手段の少なくとも一方の表示変更操作を受信する表示変更操作受信手段と、
前記画像表示手段の表示内容と前記インク調整用表示手段の表示内容との対応を予め設定した選択的記憶手段と、
前記表示変更操作受信手段の受信により、前記予めの設定に従って、それぞれに対応する表示内容を前記インク調整用表示手段又は画像表示手段へ伝達する通信手段を備える表示制御装置。
【００２０】
このように構成された表示制御装置によれば、
前記画像表示手段又はインク調整用表示手段の少なくとも一方の表示変更操作が表示変更操作受信手段により受信され、画像表示手段の表示内容とインク調整用表示手段の表示内容との対応が選択的記憶手段に予め定められ、表示変更操作受信手段の受信により、選択的記憶手段を基に、通信手段によって、それぞれに対応する表示内容をインク調整用表示手段又は画像表示手段へ伝達することにより、これにより、モニタープルーフ操作と輪転機操作との情報をそれぞれに共有することが可能となり、オペレーターの操作を簡略する可能性を大きくして効率の向上を図ることができる。選択的記憶手段としては、例えばルックアップテーブルが好適であるが、これ以外にも、インク調整用表示手段と画像表示手段との情報の対応ができる記憶手段であれば利用可能である。
【００２１】
（６）  上記（５）記載の表示制御装置であって、
前記インク調整用表示手段又は画像表示手段に備えられ、前記通信手段からの表示内容変更を受けて、それぞれに対応する表示内容へ変更する表示内容変更手段を備える表示制御装置。
【００２２】
このように構成された表示制御装置によれば、
インク調整用表示手段又は画像表示手段に備えられた表示内容変更手段が、通信手段からの表示内容変更を受けて、モニタープルーフ操作と輪転機操作との情報をそれぞれに共有させて、表示変更時にも同一の情報を表示されることで、オペレーターの操作を簡略することができる。
【００２３】
（７）  上記（６）記載の表示制御装置であって、
前記表示内容変更手段が前記表示変更時に変更したことを警告又は表示機能を有する表示制御装置。
【００２４】
このように構成された表示制御装置によれば、
表示が変更されたことが警告や表示されることで、オペレーターに表示変更を確認させることができ、変更未確認のままご指示操作する可能性を低くすることができる。
【発明の効果】
【００２５】
本発明の表示制御方法及び表示制御装置によれば、印刷画像用モニタープルーフの画像表示手段及び輪転機のインク調整用表示手段の表示制御方法において、モニタープルーフ操作と輪転機操作との情報を少なくとも一方から他方に通信することでオペレーターの操作を簡略化でき、特に、モニタープルーフでの操作変更対象の輪転ユニットと画像ページを、その変更したプルーフ画像の印刷を実施する輪転機ユニット用の操作表示に反映することができ、画像表示とインク調整の操作対象をモニタープルーフと輪転機とで同じとすることで、オペレーターの操作を簡略化した表示制御方法及び表示制御装置を提供できる。
【発明を実施するための最良の形態】
【００２６】
以下、本発明に係る表示制御方法及び表示制御装置の実施の形態例について図面を参照して詳細に説明する。
図１〜図５は本発明に係る表示制御方法及び表示制御装置の第１実施形態を説明するものであり、図１は本発明の一実施形態に係る表示制御装置を適用した新聞印刷機システムのブロック構成図、図２は表示制御装置の概略ブロック図、図３は図１の輪転機の概略図、図４は図１の輪転機におけるインク調整設定時の操作画面図、図５は図２のモニタープルーフ用モニターの表示画面図である。
【００２７】
図１に示すように、本発明に係る表示制御装置を適用した新聞印刷機システム１は、複数の輪転機２と、表示制御装置３が備えられたモニタープルーフシステム４と、から主として構成されている。
輪転機２は、複数の輪転ユニット１１，１３，１５，１７と、インク調整用表示手段であるメインコントローラ１９とタッチパネルディスプレイ２１と、を備える。輪転ユニット１１は、ＰＬＣ（高速電力線通信手段）２３と、インクコントーラ２５と、タッチパネルディスプレイ２７と、をそれぞれ備える。他の輪転ユニット１３，１５，１７も同様の構成を有しており、説明を流用する。
【００２８】
一方、モニタープルーフシステム４は、画像受信部３１と、第１画像処理部３３と、管理部３５と、画像配信部３７と、表示制御装置３と、輪転機の数に対応した複数の輪転ユニット側設置モニター（画像表示手段）４１，４３・・・と、を備える。
【００２９】
各輪転ユニット側設置モニター４１，４３・・・は、表示画像受信部４５と、第２画像処理部４７と、モニター４９（プルーフ表示用モニター）と、操作部５１と、をそれぞれ備える。表示画像受信部４５と第２画像処理部４７は、各モニター４９に接続し、第２画像処理部４７は、表示画像を２次加工（モニターデバイス色調整等）する。操作部５１は、各モニター４９に接続し、オペレーター５が表示ページの切り替え等を行う。
【００３０】
画像受信部３１には、ＣＴＳ（ｃｏｍｐｕｔｅｒ  Ｔｙｐｅｓｅｔｔｉｎｎｇ  Ｓｙｓｔｅｍ、所謂、電算植字システム）や、ＣＴＰサーバー（Ｃｏｍｐｕｔｅｒ  ｔｏ  ｐｌａｔｅ）やネットワークから得られた画像情報が受信される。この画像受信部３１が受け取る元画像は、色調整前または色調整後である。
【００３１】
第１画像処理部３３は、画像受信部３１が受け取った画像を一次加工（ターゲット色調整やシャープネス調整等）し、表示用画像を生成する。管理部３５は、元画像・表示用画像をグルーピングしたり配信先を管理したりする。画像配信部３７は、表示画像を各モニター４９へ配信する。
【００３２】
図２において、表示制御装置３は、各輪転ユニット側設置モニター４１，４３・・・におけるモニター４９の表示内容及び各輪転ユニット１１，１３，１５，１７・・・におけるタッチパネルディスプレイ２７との表示変更操作受信手段３ａと、各輪転ユニット側設置モニター４１，４３・・・におけるモニター４９の表示内容及び各輪転ユニット１１，１３，１５，１７・・・におけるタッチパネルディスプレイ２７の表示内容の対応を予め定めたルックアップテーブル（選択的記憶手段）３ｂとを内蔵しており、表示変更操作受信手段３ａの受信により、ルックアップテーブル３ｂの予めの設定に従って、それぞれに対応する表示内容を、各輪転ユニット側設置モニター４１，４３・・・におけるモニター４９または各輪転ユニット１１，１３，１５，１７・・・におけるタッチパネルディスプレイ２７へ伝達する通信手段３ｃを備える。
【００３３】
また、メインコントローラ１９には、通信手段３ｃからの表示内容変更を受けて、それぞれに対応する表示内容へ変更する表示内容変更手段１９ａを備えるとともに、表示内容変更手段１９ａが表示変更時に変更したことを警告又は表示する機能を有する。この表示内容変更手段１９ａ機能を表示画像受信部４５に備えることもでき、その場合、表示制御装置３は輪転機２からモニタープルーフシステム４への表示変更伝達にも使用される。
なお、複数の輪転機２と、表示制御装置３が備えられたモニタープルーフシステム４との信号通信接続は無線・有線が利用可能である。
【００３４】
図３に示すように、輪転機２は、例えば、輪転ユニット１１が、表面用として、シアン色ローラ５７と、マゼンタ色ローラ５９と、イエロー色ローラ６１と、ブラック色ローラ６３と、を有するとともに、裏面用として、シアン色ローラ６５と、マゼンタ色ローラ６７と、イエロー色ローラ６９と、ブラック色ローラ７１と、を有し、各タワーは、４〜８ページ分の印刷を行う。
【００３５】
このとき、輪転機２のインク調整は、ユニット／ページ／刷り色をそれぞれ選択し、これらの組み合わせに対する調整量をオペレーター５が入力することで実施される。ここで、ユニット／ページ／刷り色の選択、および調整量の入力は、インク調整用表示手段であるメインコントローラ１９とタッチパネルディスプレイ２１から実施する場合と、各輪転ユニット機毎のタッチパネルディスプレイ２７から実施する場合とがある。
【００３６】
図４に示すように、輪転機２のタッチパネルディスプレイの表示として、輪転機２のインク調整を設定する操作画面は、ページ選択ボタン７３と、刷り色選択ボタン７５と、調整量表示窓７９を有するインク調整ボタン７７と、が表示される。ここで、あるページ／刷り色を選択した場合、濃度を上下したいエリア（短冊型の列）に該当するインク調整ボタン７７を操作し、例えば、−１０〜＋１０の範囲でもって濃度をモニタープルーフの色味に近づけていく操作を行う。
【００３７】
図５に示すように、モニタープルーフシステム４における表示画像は、プレビュー表示画面８１と、個別ページ表示画面８３と、から構成される。これらの画面は、モニタープルーフシステム４の操作デバイスを使って、オペレーター５により切り替えられる。
【００３８】
次に、新聞印刷機システム１によるインク調整を中心とした印刷動作を表示制御装置３による表示制御方法を含めて順に説明する。
（ａ）印刷が開始されると、オペレーター５は印刷済み見本を取り出して、自分の担当する輪転ユニット１１（１３，１５，１７・・・）前のモニタープルーフシステム４の端末へ移動し、モニタープルーフシステム４の端末における操作部５１を操作して見本に対応したページを表示する。
【００３９】
（ｂ）この時、表示制御装置３では、モニタープルーフシステム４への操作情報（輪転ユニット１１，１３，１５，１７・・・／ページ選択情報）が表示変更操作受信手段３ａに伝達され、次いで、ルックアップテーブル３ｂにより輪転機２における印刷済み見本に対応した輪転ユニットとページの情報として変換されて出力され、通信手段３ｃにより輪転機２に転送される。輪転機２のメインコントローラ１９では、通信手段３ｃからの表示内容変更を受けて表示内容変更手段１９ａにより、輪転機２のタッチパネルディスプレイ２１，２７において、印刷済み見本に対応した輪転ユニットとページのインク調整画面へ自動的に切り替わる。
【００４０】
（ｃ）オペレーター５では、印刷物とモニタープルーフシステム４のモニター表示とを目視で比較し、インク調整の必要／不要を判断している。
（ｄ）そして、インク調整が必要と判断した場合に、輪転機２のタッチパネルディスプレイ２１，２７におけるページ選択は表示制御装置３により終了し、対象となるページの操作画面が表示されているので、調整すべき色（シアン色、マゼンタ色、イエロー色、ブラック色のいずれか）を選択する。
【００４１】
（ｅ）調整すべきページ・色が決まったところで、調整すべきエリアを選択し、調整量表示窓７９を見ながらインク調整ボタン７７により調整量を入力する。
（ｆ）そして、印刷済み見本の取り出し口に移動して、調整後の見本を取り出し、再度、自分の担当する輪転ユニット１１（１３，１５，１７・・・）へ戻る。
【００４２】
（ｇ）そこで、印刷物とモニター表示とを再度目視で比較し、インク調整の必要／不要を判断する。このとき、同一ページ内で調整が不要となるまで、上記（ｄ）〜（ｆ）のステップを繰り返す。調整不要と判断できれば、次のページについて、（ａ）のステップであるモニタープルーフシステム４の端末における操作部５１の操作からの繰り返しを実施する。
【００４３】
このような表示制御方法を実施することで、インク調整を行うための各輪転ユニット１１，１３，１５，１７の表示切り替え操作が不要になる。このように本願発明の表示制御装置３では、表示変更操作受信手段３ａが、各輪転ユニット側設置モニター４１，４３・・・におけるモニター４９の表示内容及び各輪転ユニット１１，１３，１５，１７におけるタッチパネルディスプレイ２１，２７の表示内容の変更を受信しており、ルックアップテーブル３ｂにおいて、各輪転ユニット側設置モニター４１，４３・・・におけるモニター４９の表示内容及び各輪転ユニット１１，１３，１５，１７におけるタッチパネルディスプレイ２１，２７の表示内容の対応を予め定めており、通信手段３ｃを通じて、表示変更操作受信手段３ａの受信により、予めの設定に従って、それぞれに対応する表示内容を、各輪転ユニット側設置モニター４１，４３・・・におけるモニター４９または各輪転ユニット１１，１３，１５，１７におけるタッチパネルディスプレイ２１，２７へ伝達する。
【００４４】
また、メインコントローラ１９は、表示内容変更手段１９ａが、通信手段３ｃからの表示内容変更を受けて、それぞれに対応する表示内容へ変更するとともに、表示内容変更手段１９ａが表示変更時に変更したことを警告又は表示する機能を備えていても良い。
【００４５】
上述したように、本実施形態の表示制御方法によれば、画像表示手段４１，４３・・・の表示内容とインク調整用表示手段１９，２１，２７の表示内容との対応を予め設定しておき、画像表示手段４１，４３・・・又はインク調整用表示手段１９，２１，２７の表示変更操作により、予めの設定に従って、それぞれに対応する表示内容をインク調整用表示手段１９，２１，２７又は画像表示手段４１，４３・・・へ伝達する。これにより、モニタープルーフ操作と輪転機操作との情報をそれぞれに共有することが可能となり、オペレーター５の操作を簡略する可能性を大きくして効率の向上を図ることができる。更に、表示変更時にも同一の情報を表示させることで、オペレーター５の操作を簡略することができる。
【００４６】
しかも、本実施形態の表示制御方法によれば、画像表示手段４１，４３・・・とインク調整用表示手段１９，２１，２７で予め対応設定される表示内容が同じ輪転ユニット１１，１３，１５，１７と画像ページであることで、モニタープルーフシステム４での操作変更対象の輪転ユニット１１，１３，１５，１７と画像ページを、その変更したプルーフ画像の印刷を実施する輪転機ユニット用の操作表示に反映することができ、画像表示とインク調整の操作対象をモニタープルーフと輪転機とで同じとすることができる。
なお、本発明に係る表示制御方法及び表示制御装置は、前述した各実施形態に限定されるものではなく、適宜、変形や改良等が可能である。
【００４７】
なお、選択的記憶手段としては、ルックアップテーブル以外にも、インク調整用表示手段と画像表示手段との情報の対応ができる記憶手段であれば利用可能である。
また、伝達共有される情報は操作変更対象の輪転ユニットと画像ページ以外にも、輪転機２とモニタープルーフシステム４で共有可能の情報であればよく、例えば、モニタープルーフ表示画面に、画像と共に輪転機ユニットの設定値（インク調整量や印刷速度など）を表示する場合、これらが共有情報となる。
【図面の簡単な説明】
【００４８】
【図１】本発明の一実施形態に係る表示制御装置を適用した新聞印刷機システムのブロック構成図である。
【図２】表示制御装置の概略ブロック図である。
【図３】図１の輪転機の概略図である。
【図４】図１の輪転機におけるインク調整設定時の操作画面図である。
【図５】図２のモニタープルーフ用モニターの表示画面図である。
【図６】従来の輪転機ユニットとモニタープルーフシステムとの組み合わせ概念図である。
【符号の説明】
【００４９】
１    新聞印刷機システム
２    輪転機
３    表示制御装置（表示変更操作受信手段、ルックアップテーブル、表示内容変更手段）
４    モニタープルーフシステム（印刷画像用モニタープルーフ）
１９    メインコントローラ（インク調整用表示手段）
２１    タッチパネルディスプレイ（インク調整用表示手段）
４１    輪転ユニット側設置モニター（画像表示手段）
【図１】
2009119743.tif 000003
【図２】
2009119743.tif 000004
【図３】
2009119743.tif 000005
【図４】
2009119743.tif 000006
【図５】
2009119743.tif 000007
【図６】
2009119743.tif 000008